【事件の表示】
　特願２０１１−１８４４７５「液体噴射装置」拒絶査定不服審判事件〔平成２５年　３月　４日出願公開、特開２０１３−　４３４２３〕について、次のとおり審決する。
【結　論】
　本件審判の請求は、成り立たない。
【理　由】
第１　手続の経緯
　本件出願は、平成２３年８月２６日の出願であって、平成２７年５月２０日付けで拒絶理由が通知され、同年７月２４日付けで意見書及び手続補正書が提出され、同年１２月９日付けで拒絶の査定がなされ（謄本送達日同月１５日）、これに対し、平成２８年３月１０日付けで拒絶査定不服審判の請求がなされたものである。
第２　本願発明
　本願の請求項１ないし７に係る発明は、平成２７年７月２４日付けの手続補正書の特許請求の範囲の請求項１ないし７に記載された事項により特定されるものであるところ、請求項１に係る発明（以下「本願発明」という。）は次のとおりのものである。
　「搬送方向に搬送される記録媒体に向かって液体を噴射する液体噴射ヘッドを有し、前記搬送方向と交わる移動方向に往復移動するキャリッジと、
　前記キャリッジ側に突出して前記搬送方向に伸び、前記記録媒体を支持する記録媒体支持部と、
　浮遊物の付着状態が検知される被検知部と、
　前記記録媒体支持部と前記被検知部とが形成された面部と、
　前記被検知部と対向しうる位置に設けられた、光を照射する発光部と前記光の反射光を光電流に変換し出力電圧として出力する受光部と、
　前記記録媒体支持部側に対して前記発光部から照射し、前記受光部によって出力された第１の出力電圧を閾値と比較し、前記記録媒体の端部を検出する端部検出処理部と、
　前記発光部と前記受光部とを前記被検知部に対向させ、前記発光部から前記被検知部に照射し、前記被検知部によって反射された反射光を前記受光部によって受光し、前記受光部から出力された第２の出力電圧に基づいて、前記受光部の感度を設定する感度設定部と、
を備え、
　前記被検知部は、前記移動方向において、前記記録媒体が搬送される搬送領域の最小範囲に位置し、
　前記面部から前記被検知部の端部までの距離は、前記面部から前記媒体支持部の端部までの距離よりも短いこと、を特徴とする液体噴射装置。」
第３　刊行物
　原査定の拒絶の理由で引用された特開２００４−３５１８９８号公報（以下「引用文献」という。）には、以下の記載がある（下線は当審にて付した。以下同じ。）。
１　「【請求項１４】
請求項１〜１３のいずれかに記載の液体吐出装置であって、
前記液体吐出装置は、前記センサの検出結果と閾値とに基づいて、前記媒体の有無を検出する
前記センサの調整は、前記媒体が無い状態における前記センサの出力する信号に基づいて
、前記閾値を設定することにより行われることを特徴とする液体吐出装置。」
２　「【００２８】
＝＝＝プリンタの構成＝＝＝
＜インクジェットプリンタの構成について＞
図４は、本実施形態のプリンタの全体構成のブロック図である。また、図５は、本実施形態のプリンタの全体構成の概略図である。また、図６は、本実施形態のプリンタの全体構成の横断面図である。以下、本実施形態のプリンタの基本的な構成について説明する。なお、本実施形態の
インクジェットプリンタは、液体を媒体に吐出するので、液体吐出装置の一種でもある。」
３　「【００３０】
搬送ユニット２０は、媒体（例えば、紙Ｓなど）
印刷時に所定の方向（以下、搬送方向という）に
搬送させる
【００３１】
キャリッジユニット３０は、ヘッドを所定の方向（以下、走査方向という）に移動（走査移動）させるためのものである。キャリッジユニット３０は、キャリッジ３１と、キャリッジモータ３２（ＣＲモータとも言う）とを有する。
キャリッジ３１は、走査方向に往復移動可能である。
【００３２】
ヘッドユニット４０は、紙にインクを吐出するためのものである。ヘッドユニット４０は、ヘッド４１を有する。ヘッド４１は、インク吐出部であるノズルを複数有し、各ノズルから断続的にインクを吐出する。この
ヘッド４１は、キャリッジ３１に設けられている。
ヘッド４１が走査方向に移動中にインクを断続的に吐出することによって、走査方向に沿ったドットライン（ラスタライン）が紙に形成される。
【００３３】
センサ５０には、リニア式エンコーダ５１、ロータリー式エンコーダ５２、紙検出センサ５３、および光学センサ５４等が含まれる。リニア式エンコーダ５１は、キャリッジ３１の走査方向の位置を検出するためのものである。ロータリー式エンコーダ５２は、搬送ローラ２３の回転量を検出するためのものである。紙検出センサ５３は、印刷される紙の先端の位置を検出するためのものである。この紙検出センサ５３は、給紙ローラ２１が搬送ローラ２３に向かって紙を給紙する途中で、紙の先端の位置を検出できる位置に設けられている。なお、紙検出センサ５３は、機械的な機構によって紙の先端を検出するメカニカルセンサである。詳しく言うと、紙検出センサ５３は搬送方向に回転可能なレバーを有し、このレバーは紙の搬送経路内に突出するように配置されている。そのため、紙の先端がレバーに接触し、レバーが回転させられるので、紙検出センサ５３は、このレバーの動きを検出することによって、紙の先端の位置を検出する。
光学センサ５４は、キャリッジ３１に取付けられている。
光学センサ５４は、
紙の端部の位置を検出する。
４　「【００４９】
＜突起・溝部について＞
図１２Ａは、縁なし印刷時のインクの吐出の説明図である。図１２Ｂは、縁なし印刷時のインクの着弾の説明図である。既に説明された構成要素については同じ符号を付しているので、説明を省略する。
ヘッド４１のノズルからインク滴Ｉｐが吐出され、吐出されたＩｐが紙Ｓに着弾し、紙Ｓに印刷されるべき画像を構成するドットＤが形成される。縁なし印刷の場合、前述の通り、印刷データは紙の大きさよりも大きい範囲に対応している。そのため、この印刷データに基づいてノズルからインクを吐出すれば、吐出されたインクの一部は、紙Ｓに着弾せずに、プラテン１４に着弾する。プラテン１４に着弾したインクが紙の裏側に付着すると、紙が汚れてしまうため望ましくない。そこで、紙の裏側の汚れを防ぐため、縁なし印刷を行うプリンタの
プラテン２４は、突起２４２（凸部やリブともいう）と、溝部２４４（凹部ともいう）と
を備えている。
【００５０】
突起２４２は、プラテン２４が紙Ｓを支持する際に、紙と接触する部材である。
【００５１】
図中に示された紙Ｓは、
搬送ユニットが搬送する紙（プリンタ１が印刷可能な紙）の中で最も幅の小さい紙であるハガキである。
【００５２】
溝部２４４は、プラテン１４に設けられた窪みである。溝部２４４は、突起２４４に対して凹んでいる
５　「【００５５】
＝＝＝光学センサ＝＝＝
＜光学センサの構成について＞
図１３は、光学センサ５４の構成の説明図である。
光学センサ５４は、発光部５４１と受光部５４２とを有する
受光部５４２は、例えばフォトトランジスタを有し、
光学センサ５４は、光学センサ５４と対向する部材（例えば紙やプラテン）に光を照射し、その反射光を検出する。
受光部５４２が受光した光量が少ないときに大きい電圧を出力し、受光部５４２が受光した光量が多いときに小さい電圧を出力する。」
６　「【００５７】
状態Ａ（紙Ｓの端部が光学センサの検出スポットの外側にあり、検出スポットに紙Ｓがない状態）
このときの光学センサの出力電圧はＶａになる。状態Ｂ（紙Ｓの端部が光学センサの検出スポットの内側にあり、検出スポットの一部に紙Ｓが入っている状態）
このときの光学センサ５４の出力電圧はＶｂになる。状態Ｃ（紙Ｓの端部が光学センサの検出スポットの内側にあり、検出スポットのほとんどの領域に紙Ｓが入っている状態）
このときの光学センサ５４の出力電圧はＶｃになる。状態Ｄ（紙Ｓの端部が光学センサの検出スポットの外側にあり、検出スポットの全てに紙Ｓがある状態）
このときの光学センサの出力電圧はＶｄになる。
【００５８】
出力電圧Ｖｔを閾値とした場合、コントローラは、状態Ａと状態Ｂを「紙なし状態」と判断する。
出力電圧Ｖｔを閾値とした場合、コントローラは、状態Ｃと状態Ｄを「紙あり状態」と判断する。
出力電圧Ｖｔは、検出スポットの半分を紙Ｓが占める場合の光学センサ５４の出力電圧に等しい。
【００５９】
なお、光学センサ５４は、紙の有無を検出するためのセンサである。一方、コントローラ６０が光学センサ５４の出力に基づいて紙の有無を判断しているので、
コントローラ６０及び光学センサ５４が、「紙の有無の判断をするための判断部」を構成している
７　「【００６１】
光学センサ５４は、発光部５４１が経時的に発光量が減少することによって、劣化する。
８　「【００６５】
次に、コントローラ６０は、光学センサ５４をＯＮ状態にする（Ｓ１０２）。このとき、光学センサ５４の発光部５４１から光が照射される。光学センサの調整処理時にはプラテン２４上には紙がないため、発光部５４１から照射された光は、プラテン上に照射される。つまり、このときの光学センサ５４の検出スポットは、プラテン上である。そして、光学センサ５４の受光部５４２は、プラテン上で反射された反射光を受光し、受光した光量に応じた信号を出力する。
次に、コントローラ６０は、光学センサ５４の出力信号を取得する（Ｓ１０３）。光学センサ５４の検出スポットには紙がない状態なので、前述の状態Ａに相当する信号が光学センサ５４から出力されている。前述の通り、この
状態Ａに相当する信号は、光学センサ５４の劣化に応じて変換する信号である。
本実施形態では、複数の位置（例えば、３カ所）で光学センサの出力を取得するため、コントローラは、Ｓ１０１〜Ｓ１０３の処理を複数回繰り返す（Ｓ１０４でＹＥＳ）。」
９　「【００７４】
以上の説明の通り、ハガキを支持する突起の間の溝部２４４にはインクが着弾しないので、縁なし印刷が可能なプリンタであっても、その位置の溝部２４４は汚れにくい。本実施形態では、
ハガキが搬送されていればハガキの下に位置する溝部２４４
上に光を照射し、その反射光を受光している
１０　「【００８１】
＜光学センサの調整について＞
前述の実施形態によれば、光学センサの劣化に応じて閾値を変えることにより、光学センサを調整していた。しかし、光学センサの調整方法は、閾値を変えることに限られるものではない。例えば、光学センサの調整は、光学センサの出力結果を調整することによって行われてもよい。
【００８２】
図１９は、光学センサの回路図である。既に説明された構成要素については同じ符号を付しているので説明を省略する。発光部５４１は、入力する電気信号を光信号に変換する。受光部５４２は、紙からの光信号を受光して電気信号に変換して出力する。光学センサ５４は、受光部５４２が受光した光量に応じて、出力信号Ｖｏｕｔを変化させる。この光学センサ５４は、調整手段として可変抵抗器５４４を有している。この可変抵抗器５４４の抵抗値は、コントローラ６０によって、制御される。そして、コントローラ６０が可変抵抗器５４４の抵抗値を調節することによって、受光部５４２に対する負荷抵抗が調整されるので、光学センサ５４の出力信号が調整される。例えば、コントローラ６０が可変抵抗器５４４の抵抗値を大きく調節すると、受光部５４２が同じ光量を受光しても、出力信号Ｖｏｕｔが大きくなる。つまり、
コントローラ６０が可変抵抗器５４４の抵抗値を大きくすると、光学センサ５４の感度が高くなる。光学センサ５４が劣化したとき、コントローラ６０は受光部５４２の感度が高くなるように調整する。すなわち、コントローラ６０が、光学センサ５４の劣化に応じて、可変抵抗器５４４の負荷抵抗を調整する。
１１　【図５】より、
「搬送方向」と「走査方向」とが交わっている
１２　【図１２】より、
「突起２４２」は「溝部２４４」が形成されている面に形成され、「キャリッジ３１」側に突出している
１３　【図１４】より、
Ｖａ、ＶｂはＶｔよりも大きく、Ｖｃ、ＶｄはＶｔよりも小さい
１４　【図１８】より、「
突起２４２」は「搬送方向」に伸びている
　上記１ないし１４を総合すると、引用文献には以下の発明（以下「引用発明」という。）が記載されている。
　「液体吐出装置は、センサの検出結果と閾値とに基づいて、前記媒体の有無を検出し、
　インクジェットプリンタは、液体を媒体に吐出するので、液体吐出装置の一種でもあり、
　搬送ユニット２０は、媒体（例えば、紙Ｓなど）を印刷時に所定の方向（以下、搬送方向という）に搬送させ、
　キャリッジ３１は、走査方向に往復移動可能であり、
　ヘッド４１は、キャリッジ３１に設けられており、
　ヘッド４１が走査方向に移動中にインクを断続的に吐出することによって、走査方向に沿ったドットライン（ラスタライン）が紙に形成され、
　光学センサ５４は、キャリッジ３１に取付けられ、
　光学センサ５４は、紙の端部の位置を検出し、
　プラテン２４は、突起２４２と、溝部２４４とを備えており、
　突起２４２は、プラテン２４が紙Ｓを支持する際に、紙と接触する部材であり、
　搬送ユニットが搬送する紙（プリンタ１が印刷可能な紙）の中で最も幅の小さい紙はハガキであり、
　溝部２４４は、プラテン１４に設けられた窪みであり、溝部２４４は、突起２４４に対して凹んでおり、
　光学センサ５４は、発光部５４１と受光部５４２とを有し、
　受光部５４２は、例えばフォトトランジスタを有し、
　光学センサ５４は、光学センサ５４と対向する部材（例えば紙やプラテン）に光を照射し、その反射光を検出し、
　受光部５４２が受光した光量が少ないときに大きい電圧を出力し、受光部５４２が受光した光量が多いときに小さい電圧を出力し、
　状態Ａ（紙Ｓの端部が光学センサの検出スポットの外側にあり、検出スポットに紙Ｓがない状態）のときの光学センサの出力電圧はＶａになり、状態Ｂ（紙Ｓの端部が光学センサの検出スポットの内側にあり、検出スポットの一部に紙Ｓが入っている状態）のときの光学センサ５４の出力電圧はＶｂになり、状態Ｃ（紙Ｓの端部が光学センサの検出スポットの内側にあり、検出スポットのほとんどの領域に紙Ｓが入っている状態）のときの光学センサ５４の出力電圧はＶｃになり、状態Ｄ（紙Ｓの端部が光学センサの検出スポットの外側にあり、検出スポットの全てに紙Ｓがある状態）のときの光学センサの出力電圧はＶｄになり、
　出力電圧Ｖｔを閾値とした場合、コントローラは、状態Ａと状態Ｂを「紙なし状態」と判断し、コントローラは、状態Ｃと状態Ｄを「紙あり状態」と判断し、出力電圧Ｖｔは、検出スポットの半分を紙Ｓが占める場合の光学センサ５４の出力電圧に等しく、
　コントローラ６０及び光学センサ５４が、「紙の有無の判断をするための判断部」を構成し、
　光学センサ５４は、発光部５４１が経時的に発光量が減少することによって、劣化し、
　状態Ａに相当する信号は、光学センサ５４の劣化に応じて変換する信号であり、
　ハガキが搬送されていればハガキの下に位置する溝部２４４上に光を照射し、その反射光を受光し、
　コントローラ６０が可変抵抗器５４４の抵抗値を大きくすると、光学センサ５４の感度が高くなり、光学センサ５４が劣化したとき、コントローラ６０は受光部５４２の感度が高くなるように調整し、すなわち、コントローラ６０が、光学センサ５４の劣化に応じて、可変抵抗器５４４の負荷抵抗を調整し、
　搬送方向と走査方向とが交わっており、
　突起２４２は溝部２４４が形成されている面に形成され、キャリッジ３１側に突出しており、
　Ｖａ、ＶｂはＶｔよりも大きく、Ｖｃ、ＶｄはＶｔよりも小さく、
　突起２４２は搬送方向に伸びている、液体吐出装置。」
第４　対比
　本願発明と引用発明とを対比すると、引用発明の「印刷時に所定の方向（以下、搬送方向という）に搬送させ」る「媒体（例えば、紙Ｓなど）」は、本願発明の「搬送方向に搬送される記録媒体」に相当する。
　引用発明の「ヘッド４１」は、「走査方向に移動中にインクを断続的に吐出する」ものであって、それによって「走査方向に沿ったドットライン（ラスタライン）が紙に形成」されるから、本願発明の「記録媒体に向かって液体を噴射する液体噴射ヘッド」に相当する。
　引用発明の「キャリッジ３１」は、「走査方向に往復移動可能」であり、「ヘッド４１は、キャリッジ３１に設けられて」おり、「搬送方向と走査方向とが交わって」いるから、本願発明の「液体噴射ヘッドを有し、前記搬送方向と交わる移動方向に往復移動するキャリッジ」に相当する。
　引用発明の「突起２４２」は、「プラテン２４が紙Ｓを支持する際に、紙と接触する部材」であり、「キャリッジ３１側に突出しており」、「搬送方向に伸びている」から、本願発明の「キャリッジ側に突出して搬送方向に伸び、記録媒体を支持する記録媒体支持部」に相当する。
　引用発明の「ハガキが搬送されていればハガキの下に位置する溝部２４４」は、「溝部２４４上に光を照射し、その反射光を受光」するものであるから、本願発明の「被検知部」に相当する。
　引用発明において、「突起２４２は溝部２４４が形成されている面に形成され」ているから、引用発明の「溝部２４４が形成されている面」は、本願発明の「録媒体支持部と被検知部とが形成された面部」に相当する。
　引用発明の「発光部５４１」は、「ハガキが搬送されていればハガキの下に位置する溝部２４４上に光を照射」するから、本願発明の「被検知部と対向しうる位置に設けられた、光を照射する発光部」に相当する。また、引用発明の「受光部５４２」は「反射光を受光」し、「受光した光量が少ないときに大きい電圧を出力し、受光部５４２が受光した光量が多いときに小さい電圧を出力」するから、本願発明の「光の反射光を光電流に変換し出力電圧として出力する受光部」に相当する。
　引用発明は、「光学センサ５４は、光学センサ５４と対向する部材（例えば紙やプラテン）に光を照射し、その反射光を検出し、
　受光部５４２が受光した光量が少ないときに大きい電圧を出力し、受光部５４２が受光した光量が多いときに小さい電圧を出力し、
　状態Ａ（紙Ｓの端部が光学センサの検出スポットの外側にあり、検出スポットに紙Ｓがない状態）のときの光学センサの出力電圧はＶａになり、状態Ｂ（紙Ｓの端部が光学センサの検出スポットの内側にあり、検出スポットの一部に紙Ｓが入っている状態）のときの光学センサ５４の出力電圧はＶｂになり、状態Ｃ（紙Ｓの端部が光学センサの検出スポットの内側にあり、検出スポットのほとんどの領域に紙Ｓが入っている状態）のときの光学センサ５４の出力電圧はＶｃになり、状態Ｄ（紙Ｓの端部が光学センサの検出スポットの外側にあり、検出スポットの全てに紙Ｓがある状態）のときの光学センサの出力電圧はＶｄにな」るものであるから、「Ｖａ」、「Ｖｂ」、「Ｖｃ」、「Ｖｄ］は、本願発明の「記録媒体支持部側に対して前記発光部から照射し、前記受光部によって出力された第１の出力電圧」に相当する。
　引用発明の「光学センサ５４は、紙の端部の位置を検出」するものであって、「コントローラ６０及び光学センサ５４が、「紙の有無の判断をするための判断部」を構成」し、「コントローラ」は、「検出スポットの半分を紙Ｓが占める場合の光学センサ５４の出力電圧に等し」い「出力電圧Ｖｔを閾値」とし、「Ｖａ、ＶｂはＶｔよりも大きく、Ｖｃ、ＶｄはＶｔよりも小」いときに、「状態Ａと状態Ｂを「紙なし状態」と判断し、コントローラは、状態Ｃと状態Ｄを「紙あり状態」と判断」するから、引用発明の「コントローラ」は、本願発明の「第１の出力電圧を閾値と比較し、前記記録媒体の端部を検出する端部検出処理部」に相当する。
　引用発明の、「状態Ａに相当する信号」は、「光学センサ５４の劣化に応じて変換する信号」であり、「紙Ｓの端部が光学センサの検出スポットの外側にあり、検出スポットに紙Ｓがない状態」のときの「光学センサの出力電圧」であって、すなわち、「ハガキが搬送されていればハガキの下に位置する溝部２４４上に光を照射し、その反射光を受光」したときの「光学センサの出力電圧」であるから、本願発明の「発光部と前記受光部とを被検知部に対向させ、前記発光部から前記被検知部に照射し、前記被検知部によって反射された反射光を前記受光部によって受光し、前記受光部から出力された第２の出力電圧」に相当する。
　引用発明の「コントローラ６０」は、「光学センサ５４が劣化したとき、コントローラ６０は受光部５４２の感度が高くなるように調整し、すなわち、コントローラ６０が、光学センサ５４の劣化に応じて、可変抵抗器５４４の負荷抵抗を調整」するものであるから、本願発明の「受光部から出力された第２の出力電圧に基づいて、前記受光部の感度を設定する感度設定部」に相当する。
　引用発明において、「搬送ユニットが搬送する紙（プリンタ１が印刷可能な紙）の中で最も幅の小さい紙はハガキ」であるから、引用発明１の「ハガキが搬送されていればハガキの下」となる「位置」は、本願発明の「移動方向において、前記記録媒体が搬送される搬送領域の最小範囲」の「位置」に相当する。そして、引用発明の「ハガキが搬送されていればハガキの下に位置する溝部２４４」は本願発明の「移動方向において、前記記録媒体が搬送される搬送領域の最小範囲に位置」する「被検知部」に相当する。
　引用発明において、「溝部２４４が形成されている面」と「溝部２４４」との距離はゼロであり、また、「溝部２４４が形成されている面」と「突起２４２」の先端との距離はゼロではないことは自明であるから、引用発明は、本願発明の「面部から被検知部の端部までの距離は、前記面部から媒体支持部の端部までの距離よりも短いこと」を備えている。
　したがって、本願発明と引用発明とは、
　「搬送方向に搬送される記録媒体に向かって液体を噴射する液体噴射ヘッドを有し、前記搬送方向と交わる移動方向に往復移動するキャリッジと、
　前記キャリッジ側に突出して前記搬送方向に伸び、前記記録媒体を支持する記録媒体支持部と、
　被検知部と、
　前記記録媒体支持部と前記被検知部とが形成された面部と、
　前記被検知部と対向しうる位置に設けられた、光を照射する発光部と前記光の反射光を光電流に変換し出力電圧として出力する受光部と、
　前記記録媒体支持部側に対して前記発光部から照射し、前記受光部によって出力された第１の出力電圧を閾値と比較し、前記記録媒体の端部を検出する端部検出処理部と、
　前記発光部と前記受光部とを前記被検知部に対向させ、前記発光部から前記被検知部に照射し、前記被検知部によって反射された反射光を前記受光部によって受光し、前記受光部から出力された第２の出力電圧に基づいて、前記受光部の感度を設定する感度設定部と、
を備え、
　前記被検知部は、前記移動方向において、前記記録媒体が搬送される搬送領域の最小範囲に位置し、
　前記面部から前記被検知部の端部までの距離は、前記面部から前記媒体支持部の端部までの距離よりも短い、液体噴射装置。」
である点で一致し、以下の点で相違する。
（相違点）
　本願発明は、被検知部が「浮遊物の付着状態が検知される」ものであるのに対し、引用発明は、被検知部が「発光部５４１が経時的に発光量が減少すること」による、「光学センサの劣化」が検知されるものである点。
第５　判断
　上記相違点について検討する。「インクジェットプリンタにおいて、浮遊物の付着により光センサが劣化すること」（以下「周知事項」という。）は、当業者に周知の事項である。
　周知事項が記載されている刊行物の例として、特開２００５−３２９５５６号公報には、以下の記載がある。
「【０００５】
　しかし、
インクジェット記録ヘッドから吐出されたインクがミストとなり、このミストが用紙検出器の発光部或いは受光部に付着すると、エッジ位置の検出感度が鈍くなり、印刷用紙のエッジを正確に検出できなくなるといった問題が発生する。
　周知事項が記載されている刊行物の別な例として、特開２００７−２７６８８８号公報には、以下の１および２の記載がある。
１　「【０００２】
　印刷用紙等の所定の印刷対象物へ印刷を行うインクジェットプリンタとして、印刷用紙等へインク滴を吐出する印刷ヘッドと、印刷ヘッドが搭載されるキャリッジとを備えるインクジェットプリンタが知られている。この種のインクジェットプリンタでは、発光素子と受光素子とを有する光学式の検出装置が広く使用されている。たとえば、
インクジェットプリンタでは、内部に取り込まれた印刷用紙等の端部の検出を行うための検出装置として、光学式の検出装置が使用されている
２　「【０００５】
　インクジェットプリンタでは、印刷ヘッドからインク滴が吐出される際、インク滴が印刷用紙等の印刷面に到達するまでの間、あるいは、インク滴が印刷面に到達した際に、インク滴の一部が霧状になって
空気中を浮遊するインクミストが発生し、
インクミストは、検出装置を構成する発光素子の発光面や受光素子の受光面に付着する。
　上記周知事項から、引用発明において、「発光部５４１が経時的に発光量が減少すること」に加え、「浮遊物の付着」も「光センサの劣化」の一因であり、引用発明の「光学センサ５４の劣化に応じて変換する信号」には「浮遊物の付着」によるものも含まれることは自明である。したがって、「ハガキが搬送されていればハガキの下に位置する溝部２４４」は、「浮遊物の付着状態が検知される」ものであるということができる。
　よって、上記相違点に係る本願発明の発明特定事項は、引用発明及び周知事項に基づいて、当業者が容易に想到し得たものである。効果について検討しても、本願発明及び周知事項から予想可能なものである。
第６　まとめ
　以上のとおり、本願発明は、引用発明及び周知事項に基づいて当業者が容易に発明をすることができたものであるから、特許法第２９条第２項の規定により、特許を受けることができない。
　よって、結論のとおり審決する。